(57)【要約】【課題】不正な意図を持った発呼を割の合わないものとすることによりそのような発呼を抑止する。【解決手段】通信端末装置において「ワン切り」電話番号を登録しておき、電話の着信時に（Ｓ３０１）、着信電話番号を登録電話番号と比較し（Ｓ３０２）、着信電話番号が登録電話番号と一致したとき、強制的に着信応答を行う（Ｓ３０３）。着信応答後に強制的に回線を切断する（Ｓ３０５）。また、着信電話番号が登録電話番号と一致したとき、当該着信電話の着信履歴情報を残さない。【選択図】図５
2006081054.tif 000002
【特許請求の範囲】
【請求項１】
強制的に着信応答を行う対象となる電話番号を登録する登録手段と、
電話の着信時に着信電話番号を前記登録手段に登録された電話番号と比較する比較手段と、
前記比較手段による比較の結果、前記着信電話番号が登録電話番号と一致したとき、強制的に着信応答を行う着信応答手段と
を備えたことを特徴とする通信端末装置。
【請求項２】
前記着信応答手段は、着信時に直ちに前記強制的な着信応答を行った後、回線を切断することを特徴とする請求項１記載の通信端末装置。
【請求項３】
着信電話の着信履歴情報を記憶する着信履歴情報記憶手段を備え、この着信履歴情報記憶手段は前記比較手段による比較の結果、前記着信電話番号が前記登録電話番号と一致したとき、当該着信電話の着信履歴情報を残さないことを特徴とする請求項１または２記載の通信端末装置。
【請求項４】
任意の電話番号を登録するステップと、
電話の着信時に着信電話番号を確認するステップと、
前記着信電話番号を登録電話番号と比較するステップと、
前記着信電話番号が前記登録電話番号と一致したとき、強制的に着信応答を行うステップと
を備えたことを特徴とする通信端末装置の着信制御方法。
【請求項５】
前記強制的に着信応答を行うステップの後、回線を切断するステップを有することを特徴とする請求項４記載の着信制御方法。
【請求項６】
前記着信電話番号が前記登録電話番号と一致したとき、当該着信電話の着信履歴情報を記憶する動作を省略するステップ、または、当該着信電話の着信履歴情報を記憶した後、消去するステップを備えたことを特徴とする請求項４または５記載の着信制御方法。
【発明の詳細な説明】
【技術分野】
【０００１】
本発明は、携帯電話機のような通信端末装置およびその着信制御方法に関するものである。
【背景技術】
【０００２】
携帯電話機の普及とともに、その機能を悪用して詐欺的行為がなされる場合がある。例えば、いわゆる”ワン切り”と呼ばれる行為は、携帯電話機の着信履歴機能を利用し、不特定多数の相手に対して発呼し、相手が応答する前に発呼を中断することにより、相手の携帯電話機内に着信履歴を残すものである。相手がその着信番号にかけ直すと、有料サイトに転送される等により、意図しない接続が行われ、それに起因した法外な料金を請求される等の被害が報告されている。
【０００３】
ワン切りは、相手が着信に応答しなければ通話料の課金がなされないという通信課金システムの盲点をついた手法である。具体的には、発信元は任意の電話番号に電話をかけて即座（約１秒以内）に切断するという機械を使用することにより通話料は０円で相手の携帯電話機内に着信履歴を残すことが可能になっている。
【発明の開示】
【発明が解決しようとする課題】
【０００４】
ワン切りのような、課金されることなく相手電話機内に発信者情報を残すことを目的とする発呼行為と通常の発呼行為は、通常、着信履歴を見れば区別することができる。しかし、端末のユーザにはそのような不正な発呼行為を防止する方策がなかった。
【０００５】
本発明はこのような背景においてなされたものであり、その目的は、不正な意図を持った発呼を割の合わないものとすることによりそのような発呼を抑止することができる通信端末装置およびその受信制御方法を提供することにある。
【課題を解決するための手段】
【０００６】
本発明による通信端末装置は、強制的に着信応答を行う対象となる電話番号を登録する登録手段と、電話の着信時に着信電話番号を前記登録手段に登録された電話番号と比較する比較手段と、前記比較手段による比較の結果、前記着信電話番号が登録電話番号と一致したとき、強制的に着信応答を行う着信応答手段とを備えたことを特徴とする。
【０００７】
この構成により、着信電話番号が登録電話番号と一致した場合に、着信ユーザが着信応答をしなくても自動的に着信応答を行うことができ、不正目的の発呼者の課金逃れが防止される。
【０００８】
前記着信応答手段は、着信時に直ちに前記強制的な着信応答を行った後、回線を切断するようにしてもよい。これにより、不正な発呼に対する端末処理が必要最小限の短時間で終了する。
【０００９】
着信電話の着信履歴情報を記憶する着信履歴情報記憶手段を備え、この着信履歴情報記憶手段は前記比較手段による比較の結果、前記着信電話番号が登録電話番号と一致したとき、当該着信電話の着信履歴情報を残さないことが望ましい。これによって、課金逃れを防止するだけでなく、着信履歴を残さないことにより、不正発呼者の目的を無意味にすることができる。
【００１０】
本発明による通信端末装置の着信制御方法は、任意の電話番号を登録するステップと、電話の着信時に着信電話番号を確認するステップと、前記着信電話番号を登録電話番号と比較するステップと、前記着信電話番号が前記登録電話番号と一致したとき、強制的に着信応答を行うステップとを備えたことを特徴とする。
【００１１】
本発明はこのような着信制御方法を端末に実現させるためのコンピュータプログラムとして把握することも可能である。
【発明の効果】
【００１２】
本発明によれば、特定の電話番号からの発呼についてユーザの操作によらず強制的に着信応答を行うことにより、課金逃れを狙った相手に対して課金を行うことが出来るため、不正な意図を持った発呼を割の合わないものとし、これにより、いわゆるワン切り発呼を抑止する効果が期待できる。
【発明を実施するための最良の形態】
【００１３】
以下、本発明の好適な実施の形態について、図面に基づいて詳細に説明する。
【００１４】
図１は、本発明の実施の形態に係る通信端末装置（以下、単に端末という）１００のハードウェア構成の概略を示すブロック図である。この端末１００は、携帯電話機に特有の要素として、アンテナ１０１、送受信処理部１０３、変復調処理部１０５、データ処理部１０７、Ｄ／Ａ変換器１０９、スピーカ１１０、Ａ／Ｄ変換器１１１およびマイク１１２を備える。端末１００は、また、これらの各要素を制御するＣＰＵ，ＲＯＭ等を含むコントローラ１２５、このコントローラ１２５により作業領域やデータの一時記憶領域として利用されるメモリ１２７、ユーザインタフェースとして機能する液晶表示デバイス等を含む表示部１２０、および、各種操作キー等に対応する操作部１２３を備える。
【００１５】
図２は、図１に示した端末１００の本発明に対応する各種機能部を示した機能ブロック図である。これらの各種機能部は、主として、図１のコントローラ１２５による各部の制御により実現される。着信応答処理部２０は、基地局からの電話の着信を受け、着信音の鳴動や相手電話番号の抽出、回線の接続および切断等の処理を行う。着信履歴記憶部２１は、着信応答処理部２０で抽出された相手電話番号や着信日時等の情報を着信履歴情報として記憶する。電話番号登録部２２は、本発明において強制的に着信応答を行う対象となる電話番号として、着信履歴記憶部２１に記憶されている電話番号または手入力された電話番号を登録する。登録する電話番号は１件に限らず、複数件であってもよい。
【００１６】
ワン切り電話番号の着信は、電話帳に登録されていない電話番号で、呼出時間が極めて短いことにより識別できる。最近の携帯電話機では個々の着信の呼出時間を表示して確認できる機種も現れている。
【００１７】
電話番号比較部２３は、着信電話番号と電話番号登録部２２に登録されている電話番号（登録電話番号）とを比較し、一致したとき一致信号を着信応答処理部２０へ出力する。着信応答処理部２０は、この一致信号を受け取ると、着信音を鳴動させる前に、着信した電話に強制的に応答し、かつ、直ちに回線の切断を行うよう動作する。
【００１８】
以下、本実施の形態における端末１００の具体的な動作をフローチャート等を用いて説明する。
【００１９】
図３は、本実施の形態における電話番号登録部２２の番号手入力に対応した処理のフローチャートを示している。
【００２０】
まず、操作部１２３（図１）を用いたユーザのメニューキー押下指示に応じて、表示部１２０（図１）にメインメニューを開き、メニュー項目の一つである「設定」を選択する（Ｓ１０１，Ｙｅｓ））。ついで、下位のメニューのメニュー項目の中から「ワン切り登録」を選択する（Ｓ１０２，Ｙｅｓ）。そこで、ユーザの操作に従って、電話番号の入力を行う（Ｓ１０３）。その登録が指示されたら（Ｓ１０４）、この電話番号を登録して（Ｓ１０５）、処理を終了する。ステップＳ１０１、Ｓ１０２で「Ｎｏ」の分岐となった場合には、それぞれ対応する「その他の処理」へ移行する。
【００２１】
図４は、本実施の形態における電話番号登録部２２の着信履歴に基づく番号入力に対応した処理のフローチャートを示している。
【００２２】
まず、操作部１２３を用いたユーザの指示に応じて、表示部１２０に着信履歴を表示する（Ｓ２０１）。この着信履歴の中からユーザにより着信電話番号が選択された（Ｓ２０２）後、ユーザの指示により機能メニューを表示する（Ｓ２０３）。この機能メニューからメニュー項目「ワン切り登録」が選択され（Ｓ２０４，Ｙｅｓ）、さらに登録の指示がなされたら（Ｓ２０５，Ｙｅｓ）、この電話番号を登録する（Ｓ２０６）。ステップＳ２０４で「Ｎｏ」の分岐となった場合には「その他の処理」へ移行する。
【００２３】
図５は、本実施の形態における着信処理を示すフローチャートである。
【００２４】
着信があったとき（Ｓ３０１，Ｙｅｓ）、着信電話番号を登録電話番号と照合し、両者が一致したら（Ｓ３０２，Ｙｅｓ）、着信音を鳴動させることなく直ちに強制的に着信応答（オフフック）を行う（Ｓ３０３）。さらに強制的に回線を切断する（Ｓ３０５）。ステップＳ３０２において、着信電話番号が登録電話番号と一致しなかった場合には通常の処理を行う（Ｓ３０４）。
【００２５】
このような処理により、一旦「ワン切り電話番号」として登録された電話番号からの着信はユーザの応答がなくても、着信直後に強制的に着信応答を行う。これによって、当該発呼に対して確実に課金がなされる。ワン切り電話番号からの着信の場合に回線は通常発呼側から直ちに切断されるので、ステップＳ３０５の受信側での回線切断は必ずしも「直ちに」実行する必要はないが、不要な発呼に対する処理を速く終了させるには直ちに切断することが望ましい。
【００２６】
図６は、ワン切り電話番号として登録された電話番号から着信があったときの端末と網（基地局）との間の無線プロトコルシーケンスを示している。
【００２７】
網からのページング（Ｓ４０１）および端末の着信無線状態報告（Ｓ４０２）を含む通常の着信シーケンスからスタートし、網側から「呼設定」メッセージを受信したとき（Ｓ４０３）、ステップＳ４０４へ移行する。ワン切り電話番号から着信する場合の「呼設定」メッセージには発信者の電話番号（発番号）が含まれている（発信者番号非通知の場合には発信者番号は着信履歴に残らず受信者からのかけ直しができないのでそもそも問題とならない）。
【００２８】
ステップＳ４０４は、網からの「呼設定」メッセージ内の発番号が、ワン切り登録電話番号かどうかの判断である。もし、ワン切り登録電話番号でない場合は、着信履歴を記憶して（Ｓ４１３）、通常着信処理を実行する。ワン切り登録電話番号の場合は、ステップＳ４０５へ移行する。
【００２９】
ステップＳ４０５は、端末が網に対して「呼出」メッセージを送出するステップである。この「呼出」メッセージは、網に対して、端末で着信音鳴動を行ってユーザの呼び出しを行っているということを知らせるためのものであるが、この場面では着信音鳴動は行うことなく、「呼出」メッセージを送出する。
【００３０】
ステップＳ４０６は、「応答」メッセージを送出するステップである。この「応答」メッセージはユーザが着信に対する応答（オフフック）を行ったことを示している。この場合も実際にユーザの応答の有無にかかわらず、強制的に「応答」メッセージを送信する。
【００３１】
ステップＳ４０７は、端末が網から「応答確認」メッセージを受信するステップである。「応答確認」メッセージは、端末の「応答」メッセージが網で確認されたことを示すものである。
【００３２】
ステップＳ４０８は、端末が網に対して「切断」メッセージを送出するステップである。「切断」メッセージは、端末がオンフックを行ったことによる回線切断の要求である。この場合も、実際のユーザのオンフック操作の有無にかかわらず、強制的にこのメッセージを出力するものである。
【００３３】
ステップＳ４０９は、端末が網から「解放」メッセージを受信するステップである。これにより端末は呼を開放する。
【００３４】
ステップＳ４１０は、端末が網に対して「解放完了」メッセージを送出するステップである。
【００３５】
ステップＳ４１１は、端末が網からの「無線チャネル切断」メッセージを受信するステップである。このメッセージに従って、端末は通信に使用していた無線チャネルを放棄し、無線回線の切断を行う。
【００３６】
ステップＳ４１２は、端末が網に対して「無線チャネル切断確認」メッセージを送出するステップである。これにより、通信処理を終了する。
【００３７】
ステップＳ４０４で着信電話番号が登録電話番号でなかった場合、ステップＳ４１３の後、着信音鳴動を伴う「呼出」メッセージの送信を行い、通常動作（Ｓ４１５）へ移行する。
【００３８】
以上、本発明の好適な実施の形態について説明したが、上記で言及した以外にも種々の変形、変更を行うことが可能である。
【００３９】
例えば、上記実施の形態では着信電話番号をチェックして着信履歴の記憶を行うようにしたが、着信電話番号の如何によらず通常通り着信履歴を記憶し、登録電話番号であることが判明した時点で当該着信履歴を消去するようにしてもよい。
【図面の簡単な説明】
【００４０】
【図１】本発明の実施の形態に係る通信端末装置のハードウェア構成の概略を示すブロック図である。
【図２】図１に示した端末の本発明に対応する各種機能部を示した機能ブロック図である。
【図３】本発明の実施の形態における電話番号登録部の番号手入力に対応した処理のフローチャートである。
【図４】本発明の実施の形態における電話番号登録部の着信履歴に基づく番号入力に対応した処理のフローチャートである。
【図５】本発明の実施の形態における着信処理を示すフローチャートである。
【図６】本発明の実施の形態において、ワン切り電話番号として登録された電話番号から着信があったときの端末と網（基地局）との間の無線プロトコルシーケンスを示す図である。
【符号の説明】
【００４１】
２０…着信応答処理部、２１…着信履歴記憶部、２２…電話番号登録部、２３…電話番号比較部、１００…端末、１０１…アンテナ、１０３…送受信処理部、１０５…変復調処理部、１０７…データ処理部、１０９…変換器、１１０…スピーカ、１１１…変換器、１１２…マイク、１２０…表示部、１２３…操作部、１２５…コントローラ、１２７…メモリ
【図１】
2006081054.tif 000003
【図２】
2006081054.tif 000004
【図３】
2006081054.tif 000005
【図４】
2006081054.tif 000006
【図５】
2006081054.tif 000007
【図６】
2006081054.tif 000008